【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
コンクリート構造物に予め埋め込まれ、前記コンクリート構造物の補修材が注入される補修材注入ホースであって、
前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が前記補修材の注入圧によって破断して前記補修材が放出される補修材放出部分を有していることを特徴とする、補修材注入ホース。
【請求項２】
コンクリート構造物に予め埋め込まれ、前記コンクリート構造物の補修材が注入される補修材注入ホースであって、
前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が前記補修材の注入圧によって破断する肉薄部を有しており、前記保護材が前記補修材を放出することになる欠損部を前記肉薄部に対向する位置に有していることを特徴とする、補修材注入ホース。
【請求項３】
コンクリート構造物に予め埋め込まれ、前記コンクリート構造物の補修材が注入される補修材注入ホースであって、
前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が切り欠き部を有しており、前記保護材が前記補修材の注入圧によって破断する弱点部を前記切り欠き部に対向する位置に有していることを特徴とする、補修材注入ホース。
【請求項４】
前記ソリッドエラストマーが、４０〜９８の表面硬度（ＪＩＳ−Ａタイプ表面硬度計による硬度）を有することを特徴とする、請求項１〜３のいずれか一項記載の補修材注入ホース。
【請求項５】
前記ソリッドエラストマーが、単繊維、補強繊維及び補強金属コードからなる群より選ばれた少なくとも一種の補強材を含むことを特徴とする、請求項１〜３のいずれか一項記載の補修材注入ホース。
【請求項６】
前記スポンジゴムが、０．１５〜０．８の見掛け比重を有することを特徴とする、請求項１〜５のいずれか一項記載の補修材注入ホース。
【請求項７】
コンクリート構造物に予め埋め込まれている補修材注入ホースに補修材を注入して、前記コンクリート構造物を補修するにあたり、
前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が前記補修材の注入圧によって破断して前記補修材が放出される補修材放出部分を有しており、前記補修材の注入圧によって前記補修材放出部分を破断させ、前記補修材を前記補修材注入ホースの外部に放出させ、前記コンクリート構造物を補修することを特徴とする、コンクリート構造物の補修工法。
【請求項８】
コンクリート構造物に予め埋め込まれている補修材注入ホースに補修材を注入して、前記コンクリート構造物を補修するにあたり、
前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が前記補修材の注入圧によって破断する肉薄部を有しており、前記保護材が前記補修材を放出することになる欠損部を前記肉薄部に対向する位置に有しており、前記補修材の注入圧によって前記肉薄部を破断させ、前記補修材を前記欠損部に通して前記補修材注入ホースの外部に放出させ、前記コンクリート構造物を補修することを特徴とする、コンクリート構造物の補修工法。
【請求項９】
コンクリート構造物に予め埋め込まれている補修材注入ホースに補修材を注入して、前記コンクリート構造物を補修するにあたり、
前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が切り欠き部を有しており、前記保護材が前記補修材の注入圧によって破断する弱点部を前記切り欠き部に対向する位置に有しており、前記補修材の注入圧によって前記弱点部を破断させ、前記補修材を前記弱点部に通して前記補修材注入ホースの外部に放出させ、前記コンクリート構造物を補修することを特徴とする、コンクリート構造物の補修工法。
【手続補正２】
【補正対象書類名】明細書
【補正対象項目名】０００８
【補正方法】変更
【補正の内容】
【０００８】
【課題を解決するための手段】
本発明は、コンクリート構造物に予め埋め込まれ、前記コンクリート構造物の補修材が注入される補修材注入ホースであって、前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が前記補修材の注入圧によって破断して前記補修材が放出される補修材放出部分を有している、補修材注入ホースに係るものである。
【手続補正３】
【補正対象書類名】明細書
【補正対象項目名】０００９
【補正方法】変更
【補正の内容】
【０００９】
また、本発明は、コンクリート構造物に予め埋め込まれ、前記コンクリート構造物の補修材が注入される補修材注入ホースであって、前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が前記補修材の注入圧によって破断する肉薄部を有しており、前記保護材が前記補修材を放出することになる欠損部を前記肉薄部に対向する位置に有している、補修材注入ホースに係るものである。
さらに、本発明は、コンクリート構造物に予め埋め込まれ、前記コンクリート構造物の補修材が注入される補修材注入ホースであって、前記補修材注入ホースがソリッドエラストマーから形成されたホース本体とコンクリートの侵入を防止するスポンジゴムから形成された保護材とからなり、前記保護材が前記ホース本体の周囲に配置されており、前記ホース本体が切り欠き部を有しており、前記保護材が前記補修材の注入圧によって破断する弱点部を前記切り欠き部に対向する位置に有している、補修材注入ホースに係るものである。
【手続補正４】
【補正対象書類名】明細書
【補正対象項目名】００１４
【補正方法】変更
【補正の内容】
【００１４】
結果として、本発明者は、補修材注入ホースに予め補修材が通る規則的に形成された給送チューブの穿孔及びケーシングの微細孔を設けるのでなく、補修材注入ホースに、補修材の注入圧によって始めて破断して補修材が放出される部分を設けることが、種々の補修材を安定して放出させることに極めて有効であることを突き止め、本発明を完成させた。
【手続補正５】
【補正対象書類名】明細書
【補正対象項目名】００１６
【補正方法】変更
【補正の内容】
【００１６】
本発明の補修材注入ホースでは、補修材を放出するためのケーシングの微細孔を予め設けない。このため、本発明の補修材注入ホースでは、コンクリート打設時のコンクリートによって微細孔が塞がれることがない。
【手続補正６】
【補正対象書類名】明細書
【補正対象項目名】００２０
【補正方法】変更
【補正の内容】
【００２０】
【発明の実施の形態】
本発明では、補修材の注入圧によって破断し、補修材を放出することになる部分を、ソリッドエラストマーからなるホース本体の肉薄部又は切り欠き部か、又はスポンジゴムからなる保護材の欠損部又は弱点部とすることができる。
【手続補正７】
【補正対象書類名】明細書
【補正対象項目名】００２８
【補正方法】変更
【補正の内容】
【００２８】
かかる補修材注入ホースでは、コンクリートの打設によって孔が塞がれることがない。また、かかる補修材注入ホースでは、止水材等の補修材が、補修材注入ホースに設けたホース本体の肉薄部を破断させることで始めて補修材を放出させる。このため、かかる補修材注入ホースにおいては、補修材の放出は補修材の注入圧によって制御され、ホース本体の肉薄部が破断することで、補修材が保護材の開口部を介して補修材注入ホースの外部に放出される。